(57)【要約】  【課題】荷台での電気機器の使用に好適なアクセサリソケットを提供する。  【解決手段】電源取り出し口としてのアクセサリソケット２３は、運転席シート１０と助手席シート１１との間に位置するセンターコンソール２０に設けられる。さらに、前記両側シートの背もたれ近傍に設けられるので、荷台で各種電気機器を使う際に配線を短くすることができる。また、接続した配線がセンターコンソール２０上に置かれないので、乗降時等にも邪魔になりにくい。また、アクセサリソケット２３の開口部は車両の前方向に向かって設けられるので、シートに座ったままでも配線の接続を容易に行うことができる。また、アクセサリソケット２３は荷台より高い位置に設けられるので、荷台に乗っての配線接続や電気機器による作業がしやすくなる。さらに、車両の車幅方向および全長方向の中心近傍に設けられると、走行時の泥や水はねの影響を受けにくくなる。  【選択図】図３
2006273127.tif 000002
【特許請求の範囲】
【請求項１】
運転席と助手席の後方に荷台が備えられ、前記運転席と助手席との間にセンターコンソールが備えられた車両のアクセサリソケットにおいて、
電源取り出し口としての前記アクセサリソケットは、前記センターコンソールに備えられ、かつ運転席および助手席の背もたれに近い位置に配設されることを特徴とするアクセサリソケット。
【請求項２】
前記アクセサリソケットの開口部は、前記車両の前方向に向かって設けられることを特徴とする請求項１に記載のアクセサリソケット。
【請求項３】
前記アクセサリソケットの開口部には、該開口部を塞ぐことができる蓋部材が設けられることを特徴とする請求項１または２に記載のアクセサリソケット。
【請求項４】
前記アクセサリソケットは、前記荷台の底板よりも少なくとも高い位置に設けられたことを特徴とする請求項１ないし３のいずれかに記載のアクセサリソケット。
【請求項５】
前記アクセサリソケットは、前記車両の車幅方向および全長方向における中心位置近傍に配設されることを特徴とする請求項１ないし４のいずれかに記載のアクセサリソケット。
【発明の詳細な説明】
【技術分野】
【０００１】
本発明はアクセサリソケットに関し、特に、車両の荷台での電気機器の使用に適した電源取り出し口としてのアクセサリソケットに関する。
【背景技術】
【０００２】
従来から、４輪車等の車両に備えられるシガライターは、煙草に着火するためのコイル部を外した際に、車載バッテリからの電源を取り出す電源ソケットとして利用されることが知られている。前記シガライターは、喫煙時の利便性を考慮して、搭乗者前方のインストルメントパネル等に配設された灰皿の近傍に設置されることが多い。さらに、シガライターに付着する灰を灰皿に戻す構造とする場合は、灰皿と一体的な構成とする必要がある。上記したように、シガライターの配置は、自由なインテリアデザインに制約を与える場合があった。
【０００３】
下記の特許文献１には、運転席と助手席の間にあるセンターコンソールの車体前方部に着目し、該センターコンソールの上面に略垂直方向に向けてシガライターを配置するシガライターの配置構造が開示されている。
【特許文献１】特開２００４−１９６０８４号公報
【発明の開示】
【発明が解決しようとする課題】
【０００４】
しかしながら、上記特許文献１のシガライターは、各種電気機器を作動させる電源ソケット（アクセサリソケット）としての利便性を高める工夫に関しては、何らの配慮もされていなかった。特に、ＭＵＶ（マルチ・ユーティリティ・ビークル）等の車両で、運転席のすぐ後方が荷台である場合においては、荷台で電気機器を使用した作業を行うことが多く、この際にセンターコンソール前方に配置されたアクセサリソケットから電源を得ようとすると、長い配線が必要となって搭乗者の邪魔になりやすいという課題があった。
【０００５】
本発明の目的は、上記した従来技術の課題を解決し、車両の荷台での電気機器の使用に好適なアクセサリソケットを提供することにある。
【課題を解決するための手段】
【０００６】
前記した目的を達成するために、本発明は、運転席と助手席の後方に荷台が備えられ、前記運転席と助手席との間にセンターコンソールが備えられた車両のアクセサリソケットにおいて、電源取り出し口としての前記アクセサリソケットは、前記センターコンソールに備えられ、かつ運転席および助手席の背もたれに近い位置に配設されるようにした点に第１の特徴がある。
【０００７】
また、前記アクセサリソケットの開口部は、前記車両の前方向に向かって設けられるようにした点に第２の特徴がある。
【０００８】
また、前記アクセサリソケットの開口部には、該開口部を塞ぐことができる蓋部材が設けられるようにした点に第３の特徴がある。
【０００９】
また、前記アクセサリソケットは、前記荷台の底板よりも少なくとも高い位置に設けられるようにした点に第４の特徴がある。
【００１０】
さらに、前記アクセサリソケットは、前記車両の車幅方向および全長方向における中心位置近傍に配設されるようにした点に第５の特徴がある。
【発明の効果】
【００１１】
請求項１の発明によれば、電源取り出し口としての前記アクセサリソケットは、前記センターコンソールに備えられ、かつ運転席および助手席の背もたれに近い位置に配設されるようにしたので、荷台で電気機器を使用する際に、配線の接続作業の操作性が低下することなく、配線の全長を短くすることができるようになる。さらに、接続した配線がセンターコンソールの上に位置しないので、運転者等の搭乗者が行う乗車時又は降車時の作業の邪魔にならないようになる。また、運転席側からのアクセスを容易にすることができるようになる。
【００１２】
請求項２の発明によれば、前記アクセサリソケットの開口部は、前記車両の前方向に向かって設けられるようにしたので、搭乗者がシートに座ったままでも容易に手が届いて配線の接続作業が可能であるほか、さらに運転席からのアクセスも容易にすることができるようになる。
【００１３】
請求項３の発明によれば、前記アクセサリソケットの開口部には、該開口部を塞ぐことができる蓋部材が設けられるようにしたので、不使用時の埃や水分の侵入を防いで整備性の向上を図ることができるようになる。
【００１４】
請求項４の発明によれば、前記アクセサリソケットは、前記荷台の底板よりも少なくとも高い位置に設けられるようにしたので、荷台に乗った状態でも配線の接続がしやすく、また、荷台での作業もしやすいようになる。
【００１５】
請求項５の発明によれば、前記アクセサリソケットは、前記車両の車幅方向および全長方向における中心位置近傍に配設されるようにしたので、車体前方からの泥や水はね等による影響を受けにくくできるようになる。
【発明を実施するための最良の形態】
【００１６】
以下、図面を参照して本発明の好ましい実施の形態について詳細に説明する。図１は、本発明を適用したＭＵＶ（マルチ・ユーティリティ・ビークル）車両の一実施形態の側面図である。ＭＵＶ車両１は、車体フレーム２に前輪ＷＦおよび後輪ＷＲが回転可能に軸支され、車体中央部に配置されたエンジン１４によって前記後輪ＷＲに駆動力を供給して走行する多目的４輪車である。前記車体フレーム２の上方には、乗員を保護するように、支柱部材３、連結パイプ４および前方部材５から構成されるロールバーが連結されている。また、前記車体フレーム２の車体前方には、ヘッドライト１９やフロントフェンダ６等で構成される車両の前面部を衝突の衝撃から守るバンパー２ａが配設されている。前記乗員が着座する運転席シート１０の下方には、燃料タンク１３が収納されており、その車体前方には、不図示のアクセルペダルやブレーキペダルを備えたフロア１２が形成されている。
【００１７】
前記燃料タンク１３の車体後方に配設されるサイド隔壁５０の内側には、内燃機関としてのエンジン１４および変速機等からなるパワーユニット４０が配設されている。前記シート１０の下方に設けられた吸入管４１から吸入された外気は、エアクリーナ１５で濾過されて、燃料との混合気を生成するキャブレター４２へと導かれる。エンジン１４内の燃焼室で爆発し、エンジン１４に回転駆動力を与えた後の混合気すなわち排気ガスは、シリンダヘッド１４ａの排気ポートに連結される排気管４３によって車体後方のマフラ１６に送られ、浄化および消音された後に大気中に排気される。
【００１８】
前記マフラ１６の上方かつ運転席シート１０の後方に位置する箱体は、開閉自在な側板（不図示）、床板１７ａおよび荷台ヘッドボード１７ｂから構成される荷台１７である。エンジン１４の冷却液を冷却するラジエタ１８は、前輪ＷＦの上方に配設され、該前輪ＷＦは、ハンドルポスト８に回動可能に軸支されたステアリング９によって操舵可能とされている。該ステアリング９の左方かつ下方のインストルメントパネル７には、速度計等の計器や各種スイッチ類が配設されている。本発明に係るアクセサリソケット２３は、運転席シート１０の背もたれ近傍のセンターコンソール２０に配設されている。
【００１９】
図２は、本発明を適用したＭＵＶ車両の一実施形態の上面図である。前記と同一の符号は、同一または同等部分を示している。ＭＵＶ車両１は、助手席シート１１を備えた２人乗り用として構成されている。本発明に係るアクセサリソケット２３は、運転席シート１０と助手席シート１１との間に配置される箱状体であるセンターコンソール２０の後方ボックス２２に設けられている。前記センターコンソール２０には、サイドブレーキレバー２１および助手席用の手すり２４も配設されている。
【００２０】
図３は、前記センターコンソール２０の全体概要図である。前記と同一の符号は、同一または同等部分を示している。前記センターコンソール２０と両側シートとの間には、シートベルト用バックル２５，２６が配設されている。前記アクセサリソケット２３は、両側シートの背もたれ近傍である、センターコンソール２０に形成された後方ボックス２２の前端面に配設されている。このような位置に配置すると、前記荷台１７の上で電気機器を使用する際に、座席前方のインストルメントパネル等にアクセサリソケットが設けられている場合に比して配線の全長を短くすることができるようになる。また、接続した配線がセンターコンソール２０の上に置かれることがないので、運転者等の搭乗者が行う乗車時又は降車時の作業の邪魔になりにくくなる。また、アクセサリソケット２３は、前記荷台１７の底板１７ａより高い位置に設けられているので、荷台１７に乗った状態での配線の接続や、荷台１７の上で各種アクセサリを使用する作業がさらにしやすくなる。さらに、本実施形態においては、アクセサリソケット２３の開口部が車両の前方向に向けて設けられているので、搭乗者はシートに座ったままでもアクセサリソケット２３に容易に手が届き、配線の接続を行うことができる。また、アクセサリソケット２３の設置位置が、ＭＵＶ車両１の車幅方向および全長方向における中心位置近傍となるので、走行時の泥や水はね等の影響を受けにくくすることができるようになる。
【００２１】
図４は、前記アクセサリソケット２３と電源プラグ３０の概略説明図である。該アクセサリソケット２３は、照明としてのワークライトのほか、農薬散布器具であるスプレイヤ、オーディオ機器、携帯電話の充電等、様々なアクセサリの電源として用いることができる。これらの電気機器に採用される規格品である電源プラグ３０は、筒状の本体部３１、先端部電極３３、側面部電極３２、コード３４によって構成されている。前記電源プラグ３０をアクセサリソケット２３の開口部に挿入接続すると、各種電気機器に車載バッテリからの電力を供給することができるようになる。また、前記アクセサリソケット２３には、開閉式の蓋部材２３ａが設けられ、不使用時の埃や水分の侵入を防いで整備性の向上が図られている。なお、上記実施形態では、アクセサリソケット２３の開口部を車両の前方向に向かって設けていたが、車両の後方向や上方向に向かって設けてもよいことは勿論である。
【００２２】
図５は、前記アクセサリソケット２３で使用できるアクセサリの一例であるワークライトの概要斜視図である。ワークライト４０は、コード３４の先端に前記電源プラグ３０を備えており、これをアクセサリソケット２３に接続することによって駆動可能な作業用電灯である。レンズ４２を備える本体ケース４１の底部には、任意の箇所に装着するためのクリップ４３が設けられている。該クリップ４３と前記本体ケース４１とは、ボールジョイント（不図示）で連結されており、装着した後も自在に照射角度を調整することができる。
【００２３】
図６は、前記ワークライト４０のＭＵＶ車両１への装着例を示す概要説明図である。ワークライト４０は、ロールバーを形成する連結パイプ４に前記クリップ４３で装着されている。これによって、車両の前方や搭乗者の足元、荷台１７の全体等を自在に照らすことができるが、ワークライト４０とアクセサリソケット２３との距離が近いため、コード３４の全長は非常に短くすることができる。また、搭乗者の前方インストルメントパネル（不図示）等にアクセサリソケットが設けられている場合と異なり、センターコンソール２０の上にコード３４が置かれず、搭乗者が快適に作業を行うことが可能となる。
【００２４】
上記したように、本発明によれば、運転席と助手席の間に位置するセンターコンソール上でかつ両座席の背もたれに近い位置にアクセサリソケットを配置したので、配線を接続する操作性が低下することなく、荷台での作業を行いやすいアクセサリソケットが得られるようになる。
【図面の簡単な説明】
【００２５】
【図１】本発明を適用したＭＵＶ車両の一実施形態の側面図である。
【図２】本発明を適用したＭＵＶ車両の一実施形態の上面図である。
【図３】センターコンソールの全体概要図である。
【図４】アクセサリソケットと電源プラグの概略説明図である。
【図５】アクセサリの一例であるワークライトの斜視図である。
【図６】ワークライトの装着例を示す概要説明図である。
【符号の説明】
【００２６】
１…ＭＵＶ車両、１０…運転席シート、１１…助手席シート、１７…荷台、１７ａ…底板、２０…センターコンソール、２１…サイドブレーキレバー、２２…後方ボックス、２３…アクセサリソケット、２３ａ…蓋部材、３０…電源プラグ
【図１】
2006273127.tif 000003
【図２】
2006273127.tif 000004
【図３】
2006273127.tif 000005
【図４】
2006273127.tif 000006
【図５】
2006273127.tif 000007
【図６】
2006273127.tif 000008